(57)【特許請求の範囲】
【請求項１】
屋外の球技用等に利用し、地中に埋設し孔の形成された埋設管と、該埋設管の孔に挿入する柱本体と、該柱本体に形成され、埋設管の孔への挿入を所望の位置で停止するストッパー部から構成された抜差方式の支柱であって、前記埋設管の孔の断面部分を厚くすることで、埋設管の上端側に埋設管の径と同一で上方に広がったテーパー部を設け、且つ柱本体の下端側をテーパー部に沿って孔に挿入すべく半球状に形成するとともに、柱本体を埋設管の孔への挿入を停止するストッパー部部分より拡径したことを特徴とする抜差方式の支柱。
【発明の詳細な説明】
【技術分野】
【０００１】本発明は、屋外のフィールドに立設する支柱で、例えば、ラグビーゴール、バレーボール支柱、テニス支柱、防球用ネットの支柱に利用する屋外用の支柱に関し、地中に埋設する埋設管と、柱本体から構成された抜差方式の支柱に関する。
【技術の背景】
【０００２】屋外のフィールドに立設する抜差方式の支柱は、フィールドを多目的に使用することを目的とし、ラグビーゴール、バレーボール支柱、テニス支柱及び防球用ネットを取り付ける支柱がある。
【０００３】ラグビーゴールは、地中に埋設した２本の埋設管と、各埋設管に設けられた孔に下端部分を挿入しスットパーで固定することで地面に立設する略Ｈ字状の柱本体から構成され、バレーボール支柱は、地中に埋設する埋設管と、該埋設管に設けられた孔に下端部分を挿入しスットパーで固定することで地面に立設する柱本体から構成され、屋外のフィールドの外周に沿って設ける防球ネット用のフェンス支柱は、地中に埋設した複数の埋設管と、該埋設管に設けられた孔に下端部分を挿入し棒状のストッパーで固定することで立設する柱本体から構成されている。
【０００４】上記支柱の埋設管の孔には砂や小石が流れ込み抜けなくなるトラブルが発生するために、リブ構造のアルミ管を利用することで、砂づまりのトラブルを解消している。
【発明の開示】
【発明が解決しようとしている課題】
【０００５】しかしながら、上記従来の屋外用の支柱の埋設管の孔の径は、柱本体の径より僅かに大きく形成されているだけなので、挿入時に支柱本体はいつも埋設管の孔に垂直状態で立設しなければならず、重機の利用と多くの作業者の労力を必要とする欠点があった。
【０００６】また、リブ構造のみでは確実な砂等の孔への流入を防止することができない欠点があり、柱本体を孔に挿入する場合は、流入した砂を排除する作業を必要とし、また、柱本体を挿入した状態でも砂が入る欠点があった。
【０００７】そこで、本発明は、柱本体を埋設管にスムーズに挿入することができ、抜差作業時の作業性に優れ、砂等の孔への流入を防止できる抜差方式の支柱を提供することを課題とする。
【課題を解決するための手段】
【０００８】本発明は上記課題を解決するために、請求項１に記載のように、屋外の球技用等に利用し、地中に埋設し孔の形成された埋設管と、該埋設管の孔に挿入する柱本体と、該柱本体に形成され、埋設管の孔への挿入を所望の位置で停止するストッパー部から構成された抜差方式の支柱であって、前記埋設管の孔の断面部分を厚くすることで、埋設管の上端側に埋設管の径と同一で上方に広がったテーパー部を設け、且つ柱本体の下端側をテーパー部に沿って孔に挿入すべく半球状に形成するとともに、柱本体を埋設管の孔への挿入を停止するストッパー部部分より拡径したことを特徴とする。
【発明の作用・効果】
【００１０】次に、本発明の抜差方式の支柱の作用効果について説明する。
【００１１】先ず、地面に孔を穿孔し埋設管を地中に埋設する。この際、該埋設管の孔の上端側には上方に広がったテーパー部が設けられているために、孔の径が挿入部分より広がって拡大できる。
【００１２】次に、柱本体の下端側を前記埋設管に挿入する。この際、柱本体の下端側は、半球状に形成されているために、柱本体の下端側は埋設管のテーパー部に沿って滑るように孔内に挿入され立設することができる。
【００１３】このため、従来のように埋設管の孔に対して柱本体を直立状態で立設し孔に挿入することなく斜め状態でもスムーズに挿入することができる。
【００１４】また、柱本体の下端の半球面とテーパー部との接地面積が少なく孔への挿入がスムーズに行える。
【００１５】また、柱本体そのものをストッパー部より拡径したことで、より容易に孔に挿入して立設することができ、また、該ストッパー部で柱本体の埋設管の孔へ挿入を停止し地面に柱本体を立設することができる。
【００１６】さらに、上記柱本体のストッパー部で埋設管のテーパー部を閉塞することができるので、孔への砂等の流入を阻止することができる。
【発明を実施するための最良の形態】
【００１７】以下、本発明の抜差方式の支柱の一実施例について図面を用いて説明する。【００１８】図１は本発明の抜差方式の支柱の第１実施例を示す概略説明断面図であり、図２は図１の抜差方式の支柱埋を示す概略説明平面図であり、図３は本発明の抜差方式の支柱の第２実施例を示す概略説明断面図であり、図４は本発明の抜差方式の支柱の第３実施例を示す概略説明断面図であり、図５は本発明の抜差方式の支柱の第４実施例を示す概略説明断面図である。【００１９】（第１実施例）
本発明の抜差方式の支柱１は、地中に埋設する円筒状の埋設管２と、該埋設管２の孔４に挿入することで地面に立設する柱本体３から構成されている。【００２０】前記埋設管２の内部の孔４は、柱本体３の下端側を挿入する孔４が形成され、埋設した際孔４の上端側は上方に沿って埋設管２の径より広ろげたテーパー部５が形成されている。このため、孔４の径を挿入部分に比べて拡径した状態にできる。【００２１】前記柱本体３はその下端部６を半球状に形成し、前記埋設管２のテーパー部５に沿って滑るように移動しながら孔４に挿入することができる。このため、柱本体３を孔４に垂直状態にすることなく、また、孔４と下端部６を適切に合わせることなく挿入できる。【００２２】前記柱本体３の所望の位置に、埋設管２の孔４への挿入を停止する円弧状のストッパー部７が取り付けられている。該ストッパー部７は、下面側が逆テーパー状に形成され、上面側が水平状に形成され、埋設管２のテーパー部５を適切の閉塞することができる。【００２３】本発明の抜差方式の支柱１は上記のように構成され、次に、上記抜差方式の支柱１をラグビーゴール用の支柱として使用する場合について説明する。【００２４】屋外フィールドに２本の孔を穿孔し、埋設管２をそれぞれ地中に垂直状態に埋設して設置する。この際、埋設管２のテーパー部５まで完全に埋設する。【００２５】次に、重機で持ち上げたラグビーゴール用のポストを構成する略Ｈ状の柱本体３の下端部６を埋設管２の上端側のテーパー部５の一部に位置し、ここを基点として柱本体３を立設しながら柱本体３の下端部６をテーパー部５に沿って孔４側へ移動し、該孔４内にストッパー部７まで柱本体３を挿入する。【００２６】上記により、柱本体３を埋設管２の孔４に挿入し地面に立設し、ラグビーゴールを形成することができる。【００２７】また、柱本体３を立設時に、埋設管２のテーパー部５はストッパー部７で閉塞しているために、使用時に砂等が埋設管２の孔４に流入することなく使用できる。【００２８】このため、従来のように柱本体３を立設するのに、多くの労力を必要とせず、スムーズな作業を行なえる。【００２９】また、柱本体３を埋設管２の孔４より抜く際も、孔４に砂等が流入していないので、スムーズに柱本体３を抜き取ることができる。【００３０】（第２実施例）
上記第１実施例では、柱本体３に取り付けられたストッパー部７の上面側を水平に形成したが、該上面側をテーパー状に形成することで、柱本体３を埋設管２の孔４に挿入して立設した際の強度を確保することができる。【００３１】（第３実施例）
上記第１実施例では、埋設管２のテーパー部５は、埋設管２の径より広げて形成したが、埋設管２の孔４の断面部分が厚くすることで、テーパー部５を埋設管２の径と同一状で形成することで、ストッパー部７の形状の幅狭に形成することができ、コストの低減を図ることができる。【００３２】（第４実施例）
上記第３実施例では、テーパー部５と埋設管２の径を同一に形成することで、ストッパー部７を幅狭に形成したが、ストッパー部７が幅狭であるならば、柱本体３そのものをストッパー部７より拡径することで、より簡易に柱本体３を孔４に納入して立設することができる。【００３３】このように、本発明の抜差方式の支柱１は、柱本体３の埋設管２への挿入が容易であり、またスムーズな作業性があり、砂等の流入を阻止することができる。
【図面の簡単な説明】
【００３４】
【図１】本発明の抜差方式の支柱の第１実施例を示す概略説明断面図
【図２】図１の抜差方式の支柱を示す概略説明平面図
【図３】本発明の抜差方式の支柱の第２実施例を示す概略説明断面図
【図４】本発明の抜差方式の支柱の第３実施例を示す概略説明断面図
【図５】本発明の抜差方式の支柱の第４実施例を示す概略説明断面図
【符号の説明】
【００３５】１−支柱、２−埋設管、３−柱本体、４−孔、５−テーパー部
【図１】
0005348569.tif 000002
【図２】
0005348569.tif 000003
【図３】
0005348569.tif 000004
【図４】
0005348569.tif 000005
【図５】
0005348569.tif 000006